(57)【要約】本発明は、複数の広告露出方式を含む広告商品のうちのいずれか１つが広告主から選択されるステップと、広告主から選択された広告商品に対応する広告コードを発生させるステップと、広告コードに対応する広告露出方式に従って広告素材を広告領域に露出させるステップとを含む広告露出方法を提供する。【選択図】図７
2009540455.tif 000002
【特許請求の範囲】
【請求項１】
広告露出方法であって、
複数の広告露出方式を含む広告商品のうちのいずれか１つが広告主から選択されるステップと、
前記広告主から選択された広告商品に対応する広告コードを発生させるステップと、
前記広告コードに対応する広告露出方式に従って広告素材を広告領域に露出させるステップと、
を含むことを特徴とする広告露出方法。
【請求項２】
前記広告素材は、クライアントテンプレートが挿入され、
前記クライアントテンプレートは、
前記広告コードを認識し、前記広告コードに対応する広告素材に対するユーザの相互作用データを収集し、収集されたユーザの相互作用データをサーバテンプレートと共有することを特徴とする請求項１に記載の広告露出方法。
【請求項３】
前記広告露出方式は、
前記広告領域のサイズ変化に応じて固定型広告露出方式、横拡張型広告露出方式、縦拡張型広告露出方式、または横／縦拡張型広告露出方式を含むことを特徴とする請求項１に記載の広告露出方法。
【請求項４】
前記広告主から選択された広告商品に対応する広告コードを発生させる前記ステップは、
前記広告主から選択された広告商品が前記横拡張型広告露出方式である場合に、前記横拡張型広告露出方式に対応する広告コードを発生させ、
前記広告コードに対応する広告露出方式に従って広告素材を広告領域に露出させる前記ステップは、
前記広告コードに対応する横拡張型広告露出方式に従って前記広告領域のサイズを横方向に定められた長さだけ拡張して前記広告素材を露出させることを特徴とする請求項３に記載の広告露出方法。
【請求項５】
前記広告コードに対応する広告露出方式に従って広告素材を前記広告領域に露出させる前記ステップは、
前記広告コードに対応する横拡張型広告露出方式に従って前記広告領域のサイズを横方向に定められた長さだけ拡張して前記広告素材を露出させた後、拡張した前記広告領域のサイズを元どおりに復元して前記広告素材を露出させることを特徴とする請求項４に記載の広告露出方法。
【請求項６】
前記広告主から選択された広告商品に対応する広告コードを発生させる前記ステップは、
前記広告主から選択された広告商品が前記縦拡張型広告露出方式である場合に、前記縦拡張型広告商品に対応する広告コードを発生させ、
前記広告コードに対応する広告露出方式に従って広告素材を前記広告領域に露出させる前記ステップは、
前記広告コードに対応する縦拡張型広告露出方式に従って前記広告領域のサイズを縦方向に定められた長さだけ拡張して前記広告素材を露出させることを特徴とする請求項３に記載の広告露出方法。
【請求項７】
前記広告主から選択された広告商品に対応する広告コードを発生させる前記ステップは、
前記広告主から選択された広告商品の広告露出形態が前記横／縦拡張型広告露出方式である場合に、横／縦拡張型広告露出方式に対応する広告コードを発生させ、
前記広告コードに対応する広告露出方式に従って広告素材を前記広告領域に露出させる前記ステップは、
前記広告コードに対応する広告露出形態が前記横／縦拡張型広告露出方式に従って前記広告領域を横方向および縦方向に定められたサイズだけそれぞれ拡張して前記広告素材を露出させることを特徴とする請求項３に記載の広告露出方法。
【請求項８】
請求項１〜７のうちのいずれか一項の方法を実行させるためのプログラムを記録したコンピュータ読み取り可能な記録媒体。
【請求項９】
広告露出システムであって、
複数の広告露出方式を含む広告商品のうちのいずれか１つを広告主から選択される広告選択部と、
前記広告主から選択された広告商品に対応する広告コードを発生させ、前記広告コードを管理する広告管理部と、
前記広告コードに対応する広告露出方式に従って広告素材を広告領域に露出させる広告露出部と、
を備え、
前記広告露出方式は、固定型広告露出方式、横拡張型広告露出方式、縦拡張型広告露出方式、または横／縦拡張型広告露出方式を含むことを特徴とする広告露出システム。
【請求項１０】
前記広告露出部は、
前記広告素材に挿入され、前記広告素材に対するユーザのマウスオーバー、クリック、または視聴率を含む相互作用データを収集するクライアントテンプレートと、
前記広告素材をＨＴＭＬページに提供し、前記広告商品別に広告構成情報を有し、前記広告コードを認識して前記広告商品の広告領域を制御するサーバテンプレートと、
を備えることを特徴とする請求項９に記載の広告露出システム。
【請求項１１】
前記広告露出部は、
前記広告コードに対応する横拡張型広告露出方式に従って前記広告領域のサイズを横方向に定められた長さだけ拡張して前記広告素材を露出させることを特徴とする請求項９に記載の広告露出システム。
【請求項１２】
前記広告露出部は、
前記広告コードに対応する縦拡張型広告露出方式に従って前記広告領域のサイズを縦方向に定められた長さだけ拡張して前記広告素材を露出させることを特徴とする請求項９に記載の広告露出システム。
【請求項１３】
前記広告露出部は、
前記広告コードに対応する広告露出形態が前記横／縦拡張型露出方式に従って前記広告領域を横方向および縦方向に定められたサイズだけそれぞれ拡張して前記広告素材を露出させることを特徴とする請求項９に記載の広告露出システム。
【発明の詳細な説明】
【技術分野】
【０００１】
本発明は、インターネットを用いた広告露出方法およびそのシステムに関し、より詳細には、１つの広告領域に広告主の選択に応じて様々な形態の広告を露出させる方法およびそのシステムに関する。
【背景技術】
【０００２】
一般的に、インターネットを用いた広告露出方法は、ユーザがインターネットを介して自分の所望するサイトのホームページに接続すれば、接続されたホームページの定められた広告領域に広告を露出させる。
【０００３】
このような従来の広告露出方法は、広告主が広告することができる広告領域のサイズが固定されているため、広告しようとする広告のサイズが広告領域のサイズよりも大きい場合には、この広告を露出させることができないという問題点がある。
【０００４】
また、従来の広告露出方法は、広告のサイズが広告領域のサイズよりも大きい場合には、広告のサイズを広告領域のサイズ位に減らさなければならないという煩わしさがある。
【発明の開示】
【発明が解決しようとする課題】
【０００５】
本発明は、上述したような従来技術の問題点を改善するために案出されたものであって、１つの広告領域に広告主の選択に応じて様々な形態の広告を露出させる方法およびそのシステムを提供することを目的とする。
【０００６】
また、本発明は、広告主の選択に応じて広告領域のサイズを横方向に拡張させて広告を露出させる方法およびそのシステムを提供することを他の目的とする。
【０００７】
また、本発明は、広告主の選択に応じて広告領域のサイズを縦方向に拡張させて広告を露出させる方法およびそのシステムを提供することを他の目的とする。
【０００８】
さらに、本発明は、広告主の選択に応じて広告領域のサイズを横方向および縦方向にそれぞれ拡張させて広告を露出させる方法およびそのシステムを提供することをさらに他の目的とする。
【課題を解決するための手段】
【０００９】
上述した目的を達成し、従来技術の問題点を解決するために、本発明は、複数の広告露出方式を含む広告商品のうちのいずれか１つが広告主から選択されるステップと、前記広告主から選択された広告商品に対応する広告コードを発生させるステップと、前記広告コードに対応する広告露出方式に従って広告素材を広告領域に露出させるステップとを含む広告露出方法を提供する。
【００１０】
本発明の他の一側に係る広告露出システムは、複数の広告露出方式を含む広告商品のうちのいずれか１つが広告主から選択される広告選択部と、前記広告主から選択された広告商品に対応する広告コードを発生させ、前記広告コードを管理する広告管理部と、前記広告コードに対応する広告露出方式に従って広告素材を広告領域に露出させる広告露出部とを備える。
【発明を実施するための最良の形態】
【００１１】
以下、添付の図面を参照しながら、本発明の実施形態に係る広告露出方法およびそのシステムについて詳しく説明する。
【００１２】
図１は、本発明に係る広告商品、広告システム、広告素材、クライアントテンプレート、およびサーバテンプレート間の連関関係を示す図である。
【００１３】
図１を参照すれば、広告商品１００は、広告が露出される広告領域のサイズ変化に応じて固定型広告露出方式、縦拡張型広告露出方式、横拡張型広告露出方式、または横／縦拡張型広告露出方式を含む。固定型広告露出方式は、広告領域のサイズが変化しない状態で広告を露出させる方式である。縦拡張型広告露出方式は、広告領域のサイズを縦方向に拡張させ、横拡張型広告露出方式は、広告領域のサイズを横方向に拡張させ、横／縦拡張型広告露出方式は、広告領域のサイズを横方向および縦方向にそれぞれ拡張させる。各広告露出方式による広告方法については、以下でさらに詳細に説明する。広告主は、広告商品のうちから自分が所望する形態の広告露出方式を選択することができる。
【００１４】
広告主が広告商品１００のうちからいずれか１つを選択すれば、広告システム１１０は、広告主によって選択された広告商品１００に対応する広告コード１１１を発生（生成）する。広告コード１１１は、テンプレート（ｔｅｍｐｌａｔｅ）で広告商品を区分することができる区分子である。広告主によって選択された広告商品が固定型広告露出方式である場合に、広告システム１１０は、例えば固定型広告露出方式に対応する広告コード１１１として「１」を発生する。広告主によって選択された広告商品が縦拡張型広告露出方式である場合に、広告システム１１０は、例えば縦拡張型広告露出方式に対応する広告コード１１１として「２」を発生する。広告主によって選択された広告商品が横拡張型広告露出方式である場合に、広告システム１１０は、例えば横拡張型露出方式に対応する広告コード１１１として「３」を発生する。広告主によって選択された広告商品が例えば横／縦拡張型広告露出方式である場合に、広告システム１１０は、横／縦拡張型露出方式に対応する広告コード１１１として「４」を発生する。
【００１５】
広告システム１１０は、広告主によって選択された広告商品に対する価格を決定する。広告主によって選択された広告商品に対する価格は、広告コード１１１によって決定される。選択された広告商品が固定型広告露出方式である場合に、広告システム１１０は、固定型広告露出方式に対する価格を例えば「ｎ」と決定することができる。選択された広告商品が縦拡張型広告露出方式である場合に、広告システム１１０は、縦拡張型広告露出方式に対する価格を例えば「１．２×ｎ」で決定することができる。選択された広告商品が横拡張型広告露出方式である場合に、広告システム１１０は、横拡張型広告露出方式に対する価格を例えば「１．４×ｎ」で決定ことができる。選択された広告商品が横／縦拡張型広告露出方式である場合に、広告システム１１０は、横／縦拡張型広告露出方式に対する価格を例えば「２×ｎ」で決定することができる。
【００１６】
このように、広告システム１１０は、広告主によって選択された広告商品に対する価格を広告領域のサイズ変化による露出方式に従ってそれぞれ異なるように決定することができる。
【００１７】
サーバテンプレート（ｓｅｒｖｅｒ  ｔｅｍｐｌａｔｅ）１１２は、広告素材１２０をＨＴＭＬページ１３０に提供（Ｐｕｂｌｉｓｈ）する役割を行い、広告商品別に最適化した広告領域使用構成情報を有し、クライアントテンプレート１２１と共有したデータをサーバと通信してデータベース化させる役割を行う。広告領域は、広告露出方式に応じてログ属性、広告商品別範囲（ａｒｅａ）、視覚（ｖｉｓｉｂｉｌｉｔｙ）、動作（ｍｏｔｉｏｎ）、および価格情報を含む。
【００１８】
クライアントテンプレート（ｃｌｉｅｎｔ  ｔｅｍｐｌａｔｅ）１２１は、広告素材１２０に挿入され、広告素材１２０に対するマウスオーバー、クリック、または視聴率を含む相互作用データを収集し、相互作用データをサーバテンプレート１１２と共有する。クライアントテンプレート１２１は、広告コードを認識して広告コードに対応する相互作用データを収集し、相互作用データをサーバテンプレート１１２と共有することによって不必要なデータの生成を防ぎ、データ交換通信による過度なトラフィックを防ぐことができる。
【００１９】
図２は、固定型広告露出方式の一例を示す図である。
【００２０】
図２を参照すれば、固定型広告露出方式は、広告領域のサイズ２００が固定されており、認識（ｉｍｐｒｅｓｓｉｏｎ）およびクリック（ｃｌｉｃｋ）のようなログ（Ｌｏｇ）属性を有し、モーション（動き）がない。固定型広告露出方式による広告領域のサイズ２００を広告領域の基本サイズと見なす。
【００２１】
図３は、縦拡張型広告露出方式の一例を示す図である。
【００２２】
図３を参照すれば、縦拡張型広告露出方式は、認識、拡張、クリックのようなログ属性を有し、広告領域のサイズ３１０が基本サイズ３００から縦方向にさらに拡張した状態で広告素材が露出される。すなわち、縦拡張型広告露出方式は、広告領域の基本領域から上段に拡張領域を設定することができ、縦拡張モーションがなされる。また、縦拡張型広告露出方式は、初めに広告素材が露出される場合には縦方向に拡張され、次にはこの広告素材が基本形で提供される。縦拡張型広告露出方式は、クライアントテンプレートを介して広告に対するマウスオーバーまたはクリックを感知し、感知されたマウスオーバーまたはクリックによって広告が初めて露出された場合には縦方向に拡張して露出させ、広告が次に露出される場合には基本形で提供することができる。
【００２３】
図４は、横拡張型広告露出方式の一例を示す図である。
【００２４】
図４を参照すれば、横拡張型広告露出方式は、認識、視聴率、クリックのようなログ属性を有し、広告領域のサイズ４１０が広告領域の基本サイズ４００から横方向にさらに拡張した状態で広告素材が露出される。横拡張型広告露出方式は、例えば広告領域の基本サイズ４００から右側に拡張領域が設定され、横拡張モーションがなされ、１つの広告素材を追加で用いることができる。このように、横拡張型広告露出方式は、広告領域の基本サイズよりも横方向にさらに拡張するため、基本サイズに第１広告素材を露出し、横方向に拡張した領域に第２広告素材を追加で露出することができる。また、横拡張型広告露出方式は、横方向に拡張した全体広告領域に対応する広告素材の動画が露出され、クライアントテンプレートによって露出した動画に対する視聴率を感知することができる。動画に対する視聴率は、動画をユーザが視聴した回数、動画をどの時点でユーザがクリックしたのか、動画をどの時点でユーザがクリックせずに出て行ったのか、動画の再生時間情報、またはユーザの年齢または性別などのような動画を再生したユーザ情報を含むことができる。
【００２５】
図５は、横／縦拡張型広告露出方式の一例を示す図である。
【００２６】
図５を参照すれば、横／縦拡張型広告露出方式は、認識、拡張、視聴率、およびクリック情報をログ属性として有し、広告領域のサイズ５１０が広告領域の基本サイズ５００から横方向および縦方向にそれぞれさらに拡張した状態で広告素材が露出される。すなわち、横／縦拡張型広告露出方式は、広告領域の基本サイズから横方向および縦方向に拡張領域がそれぞれ設定され、様々な広告素材を追加で用いることができる。したがって、横／縦拡張型広告露出方式は、広告領域のサイズ５１０を第１〜第４領域に分け、第１領域には第１広告素材を露出し、第２領域には第２広告素材を露出し、第３領域には第３広告素材を露出し、第４領域には第４広告素材を露出することができる。
【００２７】
このように、本発明は、１つの領域に広告主の選択に応じて様々な露出方式で広告素材を露出させることができるため、より多様な形態の広告を提供することができる。
【００２８】
図６は、広告露出方式による広告領域のサイズを比較した一例を示す図である。
【００２９】
図６を参照すれば、符号６１０は、固定型広告露出方式による広告領域のサイズを示し、広告領域のサイズに変動がない。符号６２０は、横拡張型広告露出方式による広告領域のサイズを示し、固定型広告露出方式による広告領域のサイズに比べて横方向にそのサイズが拡張したものである。符号６３０は、縦拡張型広告露出方式による広告領域のサイズを示し、固定型広告露出方式による広告領域のサイズに比べて縦方向にそのサイズが拡張したものである。符号６４０は、横／縦拡張型広告露出方式による広告領域のサイズを示し、固定型広告露出方式による広告領域のサイズに比べて横方向および縦方向にそれぞれそのサイズが拡張したものである。
【００３０】
このように、本発明は、１つの広告領域に広告素材を露出させるときに、広告主の選択に応じてそれぞれ異なる広告領域のサイズによってそれぞれ異なるサイズの広告を露出させることができる。
【００３１】
また、本発明は、１つの広告領域に広告素材を露出させるときに、広告主の選択による広告領域の拡張可否に応じて多様な広告露出方式を提供することができる。
【００３２】
また、本発明は、１つの広告領域で広告主の選択による広告領域のサイズに応じて広告価格を決定することができる。
【００３３】
さらに、本発明は、１つの広告領域で広告主の選択による広告露出方式に応じて広告価格を決定することができる。
【００３４】
図７は、本発明の一実施形態に係る広告露出方法の流れを示す図である。
【００３５】
図７を参照すれば、ステップＳ７１０で、広告露出システムは、複数の広告露出方式を含む広告商品のうちのいずれか１つが広告主から選択される（複数の広告露出方式を含む広告商品のうちのいずれか１つの選択を広告主から受信する）。複数の広告露出方式は、図２〜図５に示すように、広告領域のサイズ変化に応じて固定型広告露出方式、縦拡張型広告露出方式、横拡張型広告露出方式、または横／縦広告露出方式を含むことができる。すなわち、ステップＳ７１０で、広告露出システムは、広告主によって固定型広告露出方式、縦拡張型広告露出方式、横拡張型広告露出方式、または横／縦広告露出方式を含む広告商品が選択される。広告主は、自分が所望する広告露出方式による広告商品を選択することができる。
【００３６】
ステップＳ７２０で、広告露出システムは、広告主によって選択された広告商品に対応する広告コードを発生する。
【００３７】
広告主から選択された広告商品が固定型広告露出方式である場合に、ステップＳ７２０で、広告露出システムは、固定型広告露出方式に対応する広告コードを発生することができる。広告主によって選択された広告商品が縦拡張型広告露出方式である場合に、ステップＳ７２０で、広告露出システムは、縦拡張型広告露出方式に対応する広告コードを発生することができる。広告主から選択された広告商品が横拡張型広告露出方式である場合に、ステップＳ７２０で、広告露出システムは、横拡張型広告露出方式に対応する広告コードを発生することができる。広告主から選択された広告商品が横／縦拡張型広告露出方式である場合に、ステップＳ７２０で、広告露出システムは、横／縦拡張型広告露出方式に対応する広告コードを発生することができる。
【００３８】
また、ステップＳ７２０で、広告露出システムは、広告主から選択された広告商品に対応する価格を決定することができる。広告主から選択された広告商品が固定型広告露出方式である場合に、ステップＳ７２０で、広告露出システムは、固定型広告露出方式に対応する価格を決定することができる。広告主から選択された広告商品が縦拡張型広告露出方式である場合に、ステップＳ７２０で、広告露出システムは、縦拡張型広告露出方式に対応する価格を決定することができる。広告主から選択された広告商品が横拡張型広告露出方式である場合に、ステップＳ７２０で、広告露出システムは、横拡張型広告露出方式に対応する価格を決定することができる。広告主から選択された広告商品が横／縦拡張型広告露出方式である場合に、ステップＳ７２０で、広告露出システムは、横／縦拡張型広告露出方式に対応する価格を決定することができる。
【００３９】
ステップＳ７３０で、広告露出システムは、広告コードに対応する広告露出方式に従って広告素材を広告領域に露出させる。広告素材は、クライアントテンプレートが挿入される。クライアントテンプレートは、広告素材に対するユーザのマウスオーバー、クリック、または視聴率のような相互作用データをサーバテンプレートと共有する。すなわち、クライアントテンプレートは、広告コードを認識して広告コードに対応する相互作用データのみを収集し、収集された相互作用データをサーバテンプレートと共有することによって不必要なデータを防ぎ、データ交換通信による過度なトラフィックを防ぐことができる。サーバテンプレートは、広告素材をＨＴＭＬページに提供し、広告商品別に最適化した広告領域使用構成情報を有しており、クライアントテンプレートと共有した相互作用データをサーバと通信してデータベース化する。
【００４０】
広告コードが固定型広告露出方式である場合に、ステップＳ７３０で、広告露出システムは、広告コードに対応する固定型広告露出方式に従って広告領域のサイズに対する変動のない固定したサイズの広告領域に広告素材を露出させる。
【００４１】
広告コードが縦拡張型広告露出方式である場合に、ステップＳ７３０で、広告露出システムは、広告コードに対応する縦拡張型広告露出方式に従って広告領域のサイズを縦方向に定められた長さだけ拡張して広告素材を露出させる。
【００４２】
広告コードが横拡張型広告露出方式である場合に、ステップＳ７３０で、広告露出システムは、広告コードに対応する横拡張型広告露出方式に従って広告領域のサイズを横方向に定められた長さだけ拡張して広告素材を露出させる。また、広告コードが横拡張型広告露出方式であって広告素材がポップアップ動画である場合に、ステップＳ７３０で、広告露出システムは、広告コードに対応する横拡張型広告露出方式に従って広告領域のサイズを横方向に定められた長さだけ拡張して広告素材を露出させた後、拡張した広告領域のサイズを元どおりに復元して広告素材を露出させることができる。
【００４３】
広告コードが横／縦拡張型広告露出方式である場合に、ステップＳ７３０で、広告露出システムは、広告コードに対応する横／縦拡張型広告露出方式に従って広告領域のサイズを横方向および縦方向にそれぞれ拡張して広告素材を露出させる。
【００４４】
このように、本発明に係る広告露出方法は、１つの広告領域に広告主の選択に応じて多様な方式の広告を露出させることができる。
【００４５】
図８は、広告露出による相互作用データを管理する一例を示す図である。
【００４６】
図８を参照すれば、ステップＳ８１０で、広告システムは、インターネットを介してユーザ端末機がユーザの所望するウェブページに接続すれば、接続されたサイトのウェブページをオープン（ｏｐｅｎ）する。
【００４７】
ステップＳ８２０で、広告システムは、インターネットを介してウェブページに接続したユーザ端末機に露出させる広告商品を把握するために、サーバテンプレートをローディング（ｌｏａｄｉｎｇ）する。
【００４８】
ステップＳ８３０で、広告システムは、ローディングされたサーバテンプレートを介して広告商品の広告コードを分析して広告領域を決定する。サーバテンプレートは広告コードを分析し、広告露出方式が固定型広告露出方式、縦拡張型広告露出方式、横拡張型広告露出方式、または横／縦拡張型広告露出方式であるかを把握する。
【００４９】
ステップＳ８４０で、広告システムは、分析された広告コードに対応する広告露出方式に従って広告領域に広告素材を露出させる。広告素材は、クライアントテンプレートを含む。
【００５０】
ステップＳ８５０で、広告システムは、露出された広告を分析する。
【００５１】
ステップＳ８６０で、広告システムは、クライアントテンプレートを介して広告素材に対するユーザの相互作用データが存在するか否かを判断する。相互作用データは、広告素材に対してユーザがマウスオーバー、クリック、または視聴などのような動作を実行することによって発生するデータである。
【００５２】
相互作用データが存在する場合に、ステップＳ８７０で、広告システムは、クライアントテンプレートを介して広告コードを分析してログ属性を決定する。ログ属性は、マウスオーバー、認識、拡張、視聴率、またはクリック情報を含む。マウスオーバーは、例えば０．４秒以上の一定速度以下でマウスが動くときに、ユーザによって広告素材の広告をユーザが視聴したものと判断する基準として用いることができる。マウスオーバー回数で広告認識率を把握することができる。クリック情報は、広告素材をユーザのクリック回数で広告成果を判断する基準として用いることができる。広告認識率、クリック回数、または視聴率は、広告素材に対するレポーティング（ｒｅｐｏｒｔｉｎｇ）データであり、以後の広告費選定の基準データとして用いることができる。
【００５３】
ステップＳ８８０で、広告システムは、クライアントテンプレートに決定されたログ属性データをサーバテンプレートが共有し、サーバテンプレートを介してログ属性データを広告レポートシステムに送信する。
【００５４】
ステップＳ８９０で、広告レポートシステムは、広告システムから送信されたログ属性データを受信し、ログ属性データをデータベースに記録する。広告レポートシステムは、データベースに記録されたログ属性データを用いて広告素材に対するレポーティングデータを提供することができる。
【００５５】
図９は、本発明の他の実施形態に係る広告露出システムの構成を示す図である。
【００５６】
図９を参照すれば、広告露出システム９００は、広告選択部９１０と、広告管理部９２０と、広告露出部９３０とを備える。
【００５７】
広告選択部９１０は、複数の広告露出方式を含む広告商品のうちのいずれか１つが広告主から選択されたことを受信する。広告露出方式は、固定型広告露出方式、横拡張型広告露出方式、縦拡張型露出方式、または横／縦拡張型露出方式を含む。すなわち、広告選択部９１０は、固定型広告露出方式、横拡張型広告露出方式、縦拡張型広告露出方式、または横／縦拡張型広告露出方式のうちのいずれか１つの広告方式に対応する広告商品が広告主から選択される。広告主は、図６に示すように、広告領域のサイズおよび露出方式がそれぞれ異なる広告商品のうちから自分が所望する露出方式に対応する広告商品を選択することができる。
【００５８】
広告管理部９２０は、広告主によって選択された広告商品に対応する広告コードを発生させ、広告コードを管理する。
【００５９】
広告露出部９３０は、広告コードに対応する広告露出方式に従って広告素材を広告領域に露出させる。すなわち、広告露出部９３０は、広告コードに対応する広告露出方式に従ってそれぞれ広告領域のサイズを相違させて広告素材を露出させる。
【００６０】
広告コードが固定型広告露出方式である場合に、広告露出部９３０は、広告コードに対応する固定型広告露出方式に従って広告領域のサイズに対する変動のない固定したサイズの広告領域に広告素材を露出させる。
【００６１】
広告コードが縦拡張型広告露出方式である場合に、広告露出部９３０は、広告コードに対応する縦拡張型広告露出方式に従って広告領域のサイズを縦方向に定められた長さだけ拡張して広告素材を露出させる。
【００６２】
広告コードが横拡張型広告露出方式である場合に、広告露出部９３０は、広告コードに対応する横拡張型広告露出方式に従って広告領域のサイズを横方向に定められた長さだけ拡張して広告素材を露出させる。また、広告コードが横拡張型広告露出方式であって広告素材がポップアップ動画である場合に、広告露出部９３０は、広告コードに対応する横拡張型広告露出方式に従って広告領域のサイズを横方向に定められた長さだけ拡張して広告素材を露出させた後、拡張した広告領域のサイズを元どおりに復元して広告素材を露出させることができる。
【００６３】
広告コードが横／縦拡張型広告露出方式である場合に、広告露出部９３０は、広告コードに対応する横／縦拡張型広告露出方式に従って広告領域の大きさを横方向および縦方向にそれぞれ拡張して広告素材を露出させる。
【００６４】
図１０は、広告露出部の構成を示す図である。
【００６５】
図１０を参照すれば、広告露出部９３０は、クライアントテンプレート１０１０およびサーバテンプレート１０２０を備える。
【００６６】
クライアントテンプレート１０１０は、広告素材に挿入され、広告素材に対するユーザのマウスオーバー、クリック、または視聴率を含む相互作用データを収集する。また、クライアントテンプレート１０１０は、相互作用データをサーバテンプレート１０２０と共有する。
【００６７】
サーバテンプレート１０２０は、広告素材をＨＴＭＬページに提供し、広告商品別に広告構成情報を有し、広告コードを認識して広告商品の広告領域を制御する。
【００６８】
なお、本発明に係る広告露出方式は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。
【００６９】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【００７０】
本発明によれば、１つの広告領域に広告主の選択に応じて様々な形態の広告を露出させる方法およびそのシステムを提供することができる。
【００７１】
また、本発明によれば、広告主の選択に応じて広告領域のサイズを横方向に拡張して広告を露出させる方法およびそのシステムを提供することができる。
【００７２】
また、本発明によれば、広告主の選択に応じて広告領域のサイズを縦方向に拡張して広告を露出させる方法およびそのシステムを提供することができる。
【００７３】
さらに、本発明によれば、広告主の選択に応じて広告領域のサイズを横方向および縦方向にそれぞれ拡張して広告を露出させる方法およびそのシステムを提供することができる。
【図面の簡単な説明】
【００７４】
【図１】本発明に係る広告商品、広告システム、広告素材、クライアントテンプレート、およびサーバテンプレート間の連関関係を示す図である。
【図２】固定型広告露出方式の一例を示す図である。
【図３】縦拡張型広告露出方式の一例を示す図である。
【図４】横拡張型広告露出方式の一例を示す図である。
【図５】横／縦拡張型広告露出方式の一例を示す図である。
【図６】広告露出方式による広告領域のサイズを比較した一例を示す図である。
【図７】本発明の一実施形態に係る広告露出方法の流れを示す図である。
【図８】広告露出による相互作用データを管理する一例を示す図である。
【図９】本発明の他の実施形態に係る広告露出システムの構成を示す図である。
【図１０】広告露出部の構成を示す図である。
【図１】
2009540455.tif 000003
【図２】
2009540455.tif 000004
【図３】
2009540455.tif 000005
【図４】
2009540455.tif 000006
【図５】
2009540455.tif 000007
【図６】
2009540455.tif 000008
【図７】
2009540455.tif 000009
【図８】
2009540455.tif 000010
【図９】
2009540455.tif 000011
【図１０】
2009540455.tif 000012
【国際調査報告】
2009540455.tif 000013
2009540455.tif 000014